(57)【特許請求の範囲】
【請求項１】
印刷が施された筒状の連続フィルムを平坦とした連続筒状包装フィルムに対して取手部を形成する工程と
連続筒状包装フィルムを裁断して開口部を形成する工程と、
前記開口部からポケットティシューを挿入する工程と、
前記開口部をポケットティシューが収納された状態で封止する工程と、を一連で行い、かつ、
前記取手部を形成する工程が；
連続筒状包装フィルムの幅方向に１ｍｍ以下の間隔で並ぶ単位溶着部で構成される溶着部群が１０〜２０ｍｍの間隔を開けて連続筒状包装フィルムの幅方向に沿って直線状に配され、かつ、その溶着部群の一つが前記連続筒状包装フィルムの幅方向の中央を跨ぐ位置にある溶着部列が、前記連続筒状包装フィルムの流れ方向に間隔を開けて配置する溶着パターンの溶着ヘッドを、前記連続筒状包装フィルムに押し当てて当該溶着パターンで連続筒状包装フィルムを溶着するとともに、
前記溶着ヘッドが連続筒状包装フィルムに押し当てられている状態で、前記溶着部列間であって連続筒状包装フィルムの幅方向中央部に、陳列用穴を溶断により形成する、作業を含む、
ことを特徴とするポケットティシュー包装体の製造方法。
【請求項２】
前記溶着ヘッドを連続筒状包装フィルムに押しつけて溶着作業を行なっている間に、前記開口部を形成する工程と、ポケットティシューを収納する工程とを行なう請求項１記載のポケットティシュー包装体の製造方法。
【請求項３】
前記単位溶着部は、連続筒状包装フィルムの流れ方向に２０〜１２０ｍｍ、連続筒状包装フィルムの幅方向に２〜１０ｍｍの大きさとし、かつ、一つの溶着部群の長さを２０〜５０ｍｍとする請求項１記載のポケットティシュー包装体の製造方法。
【請求項４】
連続筒状包装フィルムの流れ方向における溶着部列間の間隔を２０〜４０ｍｍとする請求項１又は２記載のポケットティシュー包装体の製造方法。
【請求項５】
前記陳列用穴を形成するにあたり、周縁の一部を完全に切断せず、取手部の他の部分との連結箇所を残す請求項１〜３の何れか１項に記載のポケットティシュー包装体の製造方法。
【請求項６】
略長方形状の上下面及びこれら繋ぐ長側縁及び短側縁とからなる立体形状をなすポケットティシューの複数個を包装袋に収納してなるポケットティシュー包装体であって、
前記ポケットティシュー包装体は、ポケットティシューが収納される収納部とこの収納部の縁から延出する取手部を有し、
前記取手部は；
単位溶着部が幅方向に１ｍｍ以下の間隔で並んで構成される２０〜５０ｍｍの長さの溶着部群が１０〜２０ｍｍの間隔を開けて前記幅方向に沿って直線状に配されているとともに、前記溶着部群の一つが前記幅方向の中央を跨ぐ位置にある溶着部列が、２０〜４０ｍｍの間隔を開けて並列され、
かつ、前記溶着部列の間であって幅方向中央部に、周縁が溶着されている陳列用穴が形成されている、
ことを特徴とするポケットティシュー包装体。
【請求項７】
前記陳列用穴は、周縁の一部を完全に切断せず、取手部の他の部分との連結箇所は残されている請求項６記載のポケットティシュー包装体。
【発明の詳細な説明】
【技術分野】
【０００１】
本発明は、複数枚のティシューの束を個包装したポケットティシューを、複数個まとめてフィルム包装したポケットティシュー包装体及びその製造方法に関する。
【背景技術】
【０００２】
複数枚のティシュペーパーをコンパクトに折り畳んで包装したいわゆるポケットティシューはよく知られる。このポケットティシューは、一般的には複数個をまとめてフィルム包装して市販される。
【０００３】
ポケットティシューは、略長方形状の上下面及びこれらを繋ぐ長側縁及び短側縁とからなる平型立体形状であり、上面に取出し口を形成するためのミシン目線が形成されているのが一般的形状である。
【０００４】
そして、係るポケットティシューを複数個まとめてフィルム包装した包装体における、ポケットティシューの収容態様は、ポケットティシューを長側縁同士、短側縁同士を突き合わせて横並び方向に概ね２〜３個、さらに上下面重ね合わせ方向に概ね２〜１０個重ね合わせた配列での収容態様となっており、包装体は、全体として概ね座布団型あるいは枕型の平型形状をなし、外装フィルムを開封して、個々のポケットティシューを取り出すようになっている。（長側縁突き合わせ方向２個×上下面重ね合わせ方向２個の収納態様の従来のポケットティシュー包装体Ｘ２を図５に例示する。図中、ポケットティシューは符号Ｐ、ポケットティシューのミシン目線は符号１１１、外装フィルムは符号１４０で表している）。
【０００５】
他方、包装体を構成する包装フィルム（包装袋）１４０は、ポケットティシューＰが収納される袋状の収納部分１５０とこれに連接するシート状の取手部１０２とを有し、前記取手部１０２には店舗等の陳列用フックＥに掛けて陳列するための陳列用孔１０４が一般に形成される。
【０００６】
ここで、従来、ポケットティシュー包装体Ｘ２は、包装袋の前駆体を包装資材メーカーが製造し、かかる包装袋の前駆体をポケットティシュー製造業者が購入して、ポケットティシューを収納して製造する態様が採られている。図６に示すように、包装資材メーカーで製造される包装袋前駆体１０１Ｚは、印刷が施された筒状の連続フィルムを平坦とした連続筒状包装フィルム１０１の流れ方向に適宜の間隔で幅方向に平行な一対の溶着部１３０を形成して取手部１０２となる部分１０２’を形成し、さらに当該溶着部間における連続筒状包装フィルム１０１の幅方向中央に陳列用穴１０４が打ち抜きにより形成されたものを巻き取ってなるものである。したがって、従来のポケットティシュー製造業者におけるポケットティシュー包装体の製造は、図７に示すように、まず、（Ａ）包装袋前駆体１０１Ｚからシート１０１を繰りだし、所定間隔で連続する取手部１０２となる部分間においてシートを裁断（裁断部分１０１Ａで示す）し、（Ｂ）裁断した部分を開口させて開口部１０１Ｂを形成し、（Ｃ）前記開口部１０１ＢからポケットティシューＰを適当数詰め、（Ｄ）その後に開口部１０１Ｂを溶着等して封止するといった手順で行なわれている。
【０００７】
しかし、このような従来の包装資材メーカーとポケットティシュー製造業者との跨って行なわれるポケットティシュー包装体の製造態様では、次のような問題がある。まず、包装資材メーカーにおいて取手部の溶着作業、陳列用穴の打抜き作業を行なうため、各作業中に不良が少なからず発生することがあり、これにともなう歩留まり、資材ロスの問題を擁する。その一方で、ポケットティシュー製造業者においても、ポケットティシュー収納のための開口形成のための切断、封止のための溶着作業にかかる歩留まり、資材ロスの問題を擁する。さらに、包装資材メーカーにおいて取手部形成の為の溶着を行ない、ポケットティシュー製造業者でもポケットティシュー収納後の封止のための溶着を行なうため、溶着設備、溶着に必要なエネルギーが業者間で分断されており、設備コスト、エネルギーコストに無駄がある。
【０００８】
包装資材メーカーにおいて、取手部となる部分や陳列用穴を形成せずに、印刷された筒状の前駆体のみを製造してポケットティシュー製造業者に納入し、ポケットティシュー業者において、各部の溶着作業、陳列用穴形成作業、収納作業が行えれば、包装資材メーカーとしては歩留まりコストを低下させることができ、また、ポケットティシュー製造業者においては前駆体購入コストを低下させることができ、さらに、全体として設備コストやエネルギーコストの無駄もなくすことができる。
【０００９】
しかし、このような態様は下記の問題がある。まず、ポケットティシュー製造業者において、取手部形成のための溶着作業、陳列用穴を形成するための打抜き作業、ポケットティシュー収納作業、開口部封止のための溶着作業を行なうと、製造ラインが長くなるという問題がある。この問題は、取手部形成のための溶着作業と、陳列用穴の形成作業を同時に行なうことが困難で、別工程とする必要があることが一要因である。すなわち、取手部形成のための溶着は、連続筒状包装フィルムに対して溶着ヘッドを押しつけることで行なわれるが、その際に熱や超音波等により連続筒状包装フィルムの収縮或いは延び、さらに皺が少なからず生ずる。そして、このような収縮、延び、皺が発生した状態において打抜き作業を行なうと所望の円形穴が形成されないことが多々生ずる。これは、上記のとおり連続筒状包装フィルムが二枚のシート状フィルムが積層された積層構造でもあるため、陳列用穴の打抜き箇所に皺や延びがあると、二枚のフィルムに対して完全に同位置に穴が形成されなくなる（穴ずれ）や、穴のそのものが所望の円形とならなくなる（形状不良）が生ずるためである。そして、このような穴ずれや形状不良が生ずると、陳列用のフックにかけられない、或いは形状不良に起因して当該穴からフィルムが意図せず裂ける事態が生ずる。
【００１０】
このように、従来のポケットティシュー包装体の製造には、種々の改善が求められる問題がある。
【先行技術文献】
【特許文献】
【００１１】
【特許文献１】特開２００９−２８６４７０号公報
【特許文献２】特開２００７−２６９３２６号公報
【発明の概要】
【発明が解決しようとする課題】
【００１２】
そこで、本発明の主たる課題は、上記従来のポケットティシュー包装体の製造に係る種々の問題を改善すべく、これら問題を解決したポケットティシューの製造態様、製造方法、さらにはポケットティシュー包装体の形態、包装袋の前駆体を提供することにある。
【課題を解決するための手段】
【００１３】
上記課題を解決した本発明及び作用効果は次記のとおりである。
＜請求項１記載の発明＞
印刷が施された筒状の連続フィルムを平坦とした連続筒状包装フィルムに対して取手部を形成する工程と
連続筒状包装フィルムを裁断して開口部を形成する工程と、
前記開口部からポケットティシューを挿入する工程と、
前記開口部をポケットティシューが収納された状態で封止する工程と、を一連で行い、かつ、
前記取手部を形成する工程が；
連続筒状包装フィルムの幅方向に１ｍｍ以下の間隔で並ぶ単位溶着部で構成される溶着部群が１０〜２０ｍｍの間隔を開けて連続筒状包装フィルムの幅方向に沿って直線状に配され、かつ、その溶着部群の一つが前記連続筒状包装フィルムの幅方向の中央を跨ぐ位置にある溶着部列が、前記連続筒状包装フィルムの流れ方向に間隔を開けて配置された溶着パターンの溶着ヘッドを、前記連続筒状包装フィルムに押し当てて当該溶着パターンで連続筒状包装フィルムを溶着するとともに、
前記溶着ヘッドが連続筒状包装フィルムに押し当てられている状態で、前記溶着部列間にあって連続筒状包装フィルムの幅方向中央部に、陳列用穴を溶断により形成する、作業を含む、
ことを特徴とするポケットティシュー包装体の製造方法。
【００１４】
＜請求項２記載の発明＞
前記溶着ヘッドを連続筒状包装フィルムに押しつけて溶着作業を行なっている間に、前記開口部を形成する工程と、ポケットティシューを収納する工程とを行なう請求項１記載のポケットティシュー包装体の製造方法。
【００１５】
＜請求項３記載の発明＞
前記単位溶着部は、連続筒状包装フィルムの流れ方向に２０〜１２０ｍｍ、連続筒状包装フィルムの幅方向に２〜１０ｍｍの大きさとし、かつ、一つの溶着部群の長さを２０〜５０ｍｍとする請求項１記載のポケットティシュー包装体の製造方法。
【００１６】
＜請求項４記載の発明＞
連続筒状包装フィルムの流れ方向における溶着部列間の間隔を２０〜４０ｍｍとする請求項１又は２記載のポケットティシュー包装体の製造方法。
【００１７】
＜請求項５記載の発明＞
前記陳列用穴を形成するにあたり、周縁の一部を完全に切断せず、取手部の他の部分との連結箇所を残す請求項１〜３の何れか１項に記載のポケットティシュー包装体の製造方法。
【００１８】
＜請求項６記載の発明＞
略長方形状の上下面及びこれら繋ぐ長側縁及び短側縁とからなる立体形状をなすポケットティシューの複数個を包装袋に収納してなるポケットティシュー包装体であって、
前記ポケットティシュー包装体は、ポケットティシューが収納される収納部とこの収納部の縁から延出する取手部を有し、
前記取手部は；
単位溶着部が幅方向に１ｍｍ以下の間隔で並んで構成される２０〜５０ｍｍの長さの溶着部群が１０〜２０ｍｍの間隔を開けて前記幅方向に沿って直線状に配されているとともに、前記溶着部群の一つが前記幅方向の中央を跨ぐ位置にある溶着部列が、２０〜４０ｍｍの間隔を開けて並列され、
かつ、前記溶着部列の間であって幅方向中央部に、周縁が溶着されている陳列用穴が形成されている、
ことを特徴とするポケットティシュー包装体。
【００１９】
＜請求項７記載の発明＞
前記陳列用穴は、周縁の一部を完全に切断せず、取手部の他の部分との連結箇所は残されている請求項６記載のポケットティシュー包装体。
【００２０】
（作用効果）
本発明では、連続筒状包装フィルムに対して取手部を形成する工程と、連続筒状包装フィルムを裁断して開口部を形成する工程と、前記開口部からポケットティシューを挿入する工程と、前記開口部をポケットティシューが収納された状態で封止する工程と、を一連としたオンラインで行うため、各工程が包装資材メーカーやポケットティシュー製造業者等の業者間に跨って行なわれない。また、各業者においても、各工程が分断されたオフラインで行なわない。よって、上記背景技術で述べたような、各業者間で工程が跨ることにより発生する、歩留まり、資材ロスの問題が改善され、また、溶着設備、溶着に関する設備コスト、エネルギーコストの無駄も改善される。このメリットは、工程が異なる業者に跨っている場合のみならず、一業者において、取手部を形成した包装袋の前駆体を形成する工程と、前記前駆体を用いてポケットティシューを収納する工程とがオフラインで分断されている場合にも得られる。
【００２１】
他方、背景技術でも述べたとおり、単に各工程を一連にするには、取手部を形成する工程において溶着部を形成する作業と陳列用穴を形成する作業とを同時に行なおうとした場合には穴ずれや形状不良など問題があり、また、それら工程を別途にすると製造ライン長や製造時間の長期化等の問題が生じ、一連の工程とするに困難な要因であったが、本発明では、これを特定の溶着パターン及び陳列用穴の溶断形成により解決している。すなわち、本発明では、前記取手部を形成する工程において、連続筒状包装フィルムの幅方向に１ｍｍ以下の間隔で並ぶ単位溶着部で構成される溶着部群が１０〜２０ｍｍの間隔を開けて連続筒状包装フィルムの幅方向に沿って直線状に配され、かつ、その溶着部群の一つが前記連続筒状包装フィルムの幅方向の中央を跨ぐ位置にある溶着部列を、前記連続筒状包装フィルムの流れ方向に間隔を開けて配置する溶着パターンの溶着ヘッドを、前記連続筒状包装フィルムに押し当てて当該溶着パターンで連続筒状包装フィルムを溶着するとともに、前記溶着ヘッドが連続筒状包装フィルムに押し当てられている状態で、前記溶着部列間であって連続筒状包装フィルムの幅方向中央部に、陳列用穴を溶断により形成する。
【００２２】
上記溶着パターンとすることにより、陳列用穴形成時の穴ずれなどが生じない原理は、かならずしも定かではないが、まず、１ｍｍ以下という極めて狭い間隔で単位溶着部からなる溶着部群を形成することとしたため、溶着時の加熱や超音波付与により生ずるフィルム素材の収縮、延び、皺が単位溶着部間に集約されるとともに、それら収縮、延び、皺が溶着部群全体として固定され、その他の溶着部群で構成される溶着部列間の広範な範囲に延び収縮等の影響が生じ難く、当該広範な範囲おいてはフィルム素材の引張が適度に維持され、そのような適度な引張が維持された部位に溶断によって陳列用穴を形成するため穴ずれや形状不良が生じ難くなるものと思われる。
【００２３】
さらに、本発明では、溶着部群の一つが前記連続筒状包装フィルムの幅方向の中央を跨ぐ位置にあることとしたうえで、陳列用穴を前記連続筒状包装フィルムの幅方向の中央部に形成するので、陳列用穴形成時に当該陳列用穴形成部分の連続筒状包装フィルムの流れ方向の上流側及び下流側の双方に溶着部群が位置しており、溶断部分近傍が比較的強固に固定された状態となっていることも上記この穴ずれ等の問題の改善に寄与していると考えられる。また、上記穴ずれ等の問題の改善は、溶着部群間に１０〜２０ｍｍの間隔を開けることとしたため、陳列用穴の溶断時に生ずるフィルム素材の収縮、延び、皺が、当該間隔に逃げるようになるとともに、陳列用穴を溶断としたことも一要因と考えられる。
【００２４】
また、陳列用穴を溶断により形成するため形成される陳列用穴の周縁が溶着されることとなり、当該周縁を起点としてフィルム素材が破れるようなこともないものとなる。
【００２５】
ここで、本発明では、溶着ヘッドが連続筒状包装フィルムに押し当てられている際には、当該連続筒状包装フィルムの先端縁部が固定された状態となるため、当該溶着作業中に、前記開口部を形成する工程と、ポケットティシューを収納する工程とを行なうことができる。このようにすると、製造ライン長さ、製造時間をより短縮することができる。
【００２６】
なお、本発明においては、単位溶着部は、連続筒状包装フィルムの流れ方向に２０〜１２０ｍｍ、連続筒状包装フィルムの幅方向に２〜１０ｍｍの大きさとするのが望ましい。この態様であると穴ずれや形状不良の防止性がより確実なものとなる。
【００２７】
また、本発明では、連続筒状包装フィルムの流れ方向における溶着部列間の間隔を２０〜４０ｍｍとするのが望ましい。取手部として適切な大きさとなるとともに、穴ずれや形状不良の防止の確実性が高まる。
【００２８】
他方、本発明では、前記陳列用穴を形成するにあたり、周縁の一部を完全に切断せず、取手部の他の部分との連結箇所を残すのが望ましい。このようにすると、陳列用穴を打ち抜いた際に生ずる打抜きかすが発生せず、係る打抜きかすを処理する必要がなくなる。ここで、完全に打ち抜かずに一部連結箇所を残した場合には、当該連結箇所を起点としてフィルム素材が破れるおそれが一般には高まるが、本発明は溶断によって陳列用穴を形成することから、陳列用穴の周縁が溶けて強固になるため、完全に打ち抜いたものとしなくても、取手部の他の部分との連結箇所から意図せずフィルム素材が破れるようなことはない。しかも、溶断によるフィルム素材の収縮、皺、延び等が連結箇所に集約され却って破断がし難いものとなる。
【発明の効果】
【００２９】
以上の本発明によれば、従来のポケットティシュー包装体の製造に係る種々の問題が改善されたポケットティシューの製造態様、製造方法、さらにはポケットティシュー包装体の形態、包装袋の前駆体が提供される。
【図面の簡単な説明】
【００３０】
【図１】本発明にかかるポケットティシューの斜視図である。
【図２】本発明にかかるポケットティシュー包装体の斜視図である。
【図３】本発明にかかるポケットティシュー包装体の製造方法を説明するための図である。
【図４】本発明にかかるポケットティシュー包装体の特に取手部を説明するための図である。
【図５】従来のポケットティシュー包装体の斜視図である。
【図６】従来のポケットティシュー包装体を構成する包装袋の前駆体を示す斜視図である。
【図７】従来のポケットティシュー包装体の製造方法を説明するための図である。
【発明を実施するための形態】
【００３１】
次いで、本発明の実施の形態を図面を参照しながら以下に詳述する。
本発明のポケットティシュー包装体は、図１に示すとおり、ポケットティシューＰを、複数個まとめて包装袋Ｆによってフィルム包装（パッケージング）したものである。
【００３２】
本発明のポケットティシュー包装体Ｘ１の製造方法は、図２（Ａ）に示すように、まず、上記包装袋Ｆの前駆体でもある予め印刷が施された筒状の連続フィルムを平坦とした連続筒状包装フィルム１を、例えばロール状に巻いたものから順次、当該連続筒状包装フィルム１を繰り出す。
【００３３】
次いで、図２（Ｂ）に示すように、その繰り出した連続筒状包装フィルム１の先端部分に、包装体Ｘ１を陳列用フックに掛けるため、或いは持ち運びや掴みやすさを向上させるための取手部２となる部分を形成する。この取手部２の形成は、後述する溶着パターンを有する溶着ヘッド３を連続筒状包装フィルム１の先端部分に押し当て、二層積層構造となっている各フィルム層を溶着して一体化するとともに、陳列用穴４を形成することにより行なう。なお、溶着ヘッドの形状は図示のものに限定されるわけではない。溶着ヘッド３を連続筒状包装フィルム１に対して押し当てるにあたっては、例えば、当該溶着ヘッド３と対になる受け部３Ａとで当該連続筒状包装フィルム１を挟持するようにして行なうことができる。
【００３４】
本形態では、係る溶着ヘッド３を押し当てて、筒状連続包装フィルム１の先端を受け部３Ａとで挟持した状態で、当該溶着ヘッド３から所定距離間離した上流側位置で連続筒状包装フィルム１を幅方向に沿って切断する（図２中、切断箇所を符号１Ａで示す）。そして、図２（Ｃ）に示すように、その切断縁１Ａから袋状とされた筒状包装用フィルム１Ｚを開口させて開口部１Ｂを形成し、そこから図２（Ｄ）に示すように、所望の配列状態でポケットティシューＰを内部に挿入する。そして、図２（Ｅ）に示すように、ポケットティシューＰを挿入した後、前記開口部１Ｂを溶着等によって封止する（図中係る封止部分を符号１Ｃで示す）。
【００３５】
そして、ポケットティシューＰの封止が完了した後、図２（Ｆ）に示すように、前記溶着ヘッド３と受け部３Ａとの挟持を開放し、ポケットティシュー包装体Ｘ１とする。
【００３６】
なお、図２に示す形態では、溶着ヘッド３による取手部２を形成する際に、連続筒状包装フィルム１を裁断して開口部１Ｂを形成する工程と、開口部１ＢからポケットティシューＰを挿入する工程と、ポケットティシューＰが収納された状態で開口部１Ｂを封止する工程とを行なっているが、本発明では必ずしもこの順で作業を行なう必要はない。例えば、取手部２を形成した後、溶着ヘッド３と受け部３Ａとの挟持を開放した後に、当該取手部２となる部分を形成した連続筒状包装フィルム１を下流に移送し、溶着作業箇所よりも下流において開口部１Ｂの形成、ポケットティシューＰの挿入、開口部１Ｂの封止を行なうこともできる。
【００３７】
ここで、連続筒状包装フィルム１の形状は、側縁部１Ｅが部分的に積層内側に折り込まれたマチ部を有するものであると、厚みのあるポケットティシューを挿入しやすく望ましい。
【００３８】
なお、連続筒状包装フィルム１の素材は、熱溶着、超音波溶着等の溶着可能な素材であれあれば特に限定されず、既知のフィルムを用いることができる。例示すれば、ポリエチレンフィルム、ポリプロピレンフィルム、ポリエチレンテレフタレートフィルム、ポリビニルアルコールフィルム、ポリスチレンフィルム、エチレン−ビニルアルコール共重合体フィルムが例示できるが、特に、安価なポリプロピレンフィルム、ポリエチレンフィルムが好ましく、透明性が高いポリエチレンフィルムが最も好ましい。
【００３９】
また、前記連続筒状包装フィルム１は、内包物であるポケットティシューの視認性が良好であるのがよく、ヘイズ値が０．１〜２０％の範囲のものとするのが望ましい。
【００４０】
また、意図せず破断し難くハンドリングも良好なことから連続筒状包装フィルム１を構成するフィルムの厚さは、２０〜８０μｍであるのが望ましい。
【００４１】
他方、本発明に係る溶着ヘッド３は、所望の溶着パターンに係る凸溶着部形成部を有し、当該凸溶着部形成部の頂面を対象物に当て、その凸溶着部形成部から熱或いは超音波などを対象物に加え、前記対象物の溶着を行なう構成のものを用いることができる。本発明では、溶着の具体的な方法は、特に限定されないが、熱溶着であるのが本発明の効果が最も発揮される。
【００４２】
ここで、本発明に係る溶着ヘッド３の溶着パターンを、溶着ヘッド３から転写される溶着パターンを図３に示して説明する。本発明の溶着ヘッド３は、特徴的に、連続筒状包装フィルム１の幅方向に１ｍｍ以下の間隔Ｌ１で並ぶ単位溶着部３０で構成される溶着部群３１が１０〜２０ｍｍの間隔Ｌ２を開けて連続筒状包装フィルム１の幅方向に沿って直線状に配され、かつ、その溶着部群３１の一つが前記連続筒状包装フィルム１の幅方向の中央Ｃを跨ぐ位置にある溶着部列３２，３２を、前記連続筒状包装フィルム１の流れ方向に間隔Ｌ３を開けて配置する溶着パターンを有している。
【００４３】
単位溶着部３０及び溶着部群３１の具体的な数は、限定はされないが、溶着部群３１は筒状包装連続フィルム１の中央部及び両側部の三カ所を溶着するように配したものであるのが望ましい。また、溶着ヘッド３は、詳細には少なくとも溶着部群３１，３１間の離間部分（Ｌ２で示す部分）については、前記連続筒状フィルム１に押し当らないように構成されたものがよい。このように溶着部群間の離間部分が連続筒状包装フィルム１に当たらないものであると、当該離間部分を介して連続筒状包装フィルム１の内外通気が確保される。よって、上述の図２で示す形態のように、取手部形成時にポケットティシューＰを収納する場合において、開口部１Ｂを開く際、ポケットティシューＰを収納する際、さらに開口部１Ｂを封止する際に、内部の空気が上記離間部を介して逃げることができ、取手部形成時にポケットティシューＰを収納する図２で示す好ましい製造形態を好適に採ることができるようになる。
【００４４】
ここで、前記単位溶着部３０の具体的形状は限定されない。連続筒状包装フィルム１の連続方向（流れ方向）に２０〜１２０ｍｍ、連続筒状包装フィルム１の幅方向に２〜１０ｍｍの大きさを有する矩形或いは楕円形とすることができる。
【００４５】
また、一つの溶着部群３１の長さは、ポケットティシューＰの収納態様、連続筒状包装フィルム１の幅によっても相違するが、概ね２０〜５０ｍｍとするのが望ましい。特に、図１に示すポケットティシュー包装体Ｘ１のように、連続筒状包装フィルム１の幅がポケットティシューＰの長側縁Ｐ１と同程度の幅となるものでは、２５〜４５ｍｍとするのが望ましい。
【００４６】
なお、連続筒状包装フィルム１の連続方向（流れ方向）における溶着部列３２，３２の間の間隔Ｌ３は、２０〜４０ｍｍであるのが望ましい。ここで、本発明では、二つの溶着部列３２，３２は、同一の溶着ヘッド３に形成されている必要はなく、同時に押し当て可能な二つの溶着ヘッドに分かれていてもよい。
【００４７】
他方、本発明では、前記溶着ヘッド３が連続筒状包装フィルム１に押し当てられている状態で、前記溶着部列３２，３２間であって連続筒状包装フィルム１の幅方向中央部に、陳列用穴４を溶断により形成する。陳列用穴４の形成は、例えば、図示はしないが円形環状の溶着刃により陳列用穴形成部を打ち抜くようにすればよい。また、本発明では、前記陳列用穴４を形成するにあたり、周縁の一部を完全に切断せず、取手部２の他の部分との連結箇所４Ａを残すようにするのが、打抜きに係るゴミが生じないため望ましい。かかる態様の陳列用穴４を形成するには先端略Ｃ形状の溶着刃によって当該陳列用穴の形成部分を貫通するようにして行なえばよい。ここで、溶着刃は、先端鋭利な加熱可能なものであり、既知の構成のものが利用できる。なお、溶着ヘッド３を押し当てた状態で溶着刃により連続筒状包装フィルム１を打ち抜くにあたっては、例えば、溶着ヘッド３や受け部３Ａに当該溶着刃が移動可能な空間を形成しておくようにすればよい。
【００４８】
ここで、陳列用穴４の大きさとしては、陳列用フックの大きさに応じて適宜設計すればよく限定されるものではないが、概ね８〜１２ｍφである。なお、完全に打ち抜かない場合における上記連結部分４Ａは、１〜５ｍｍ程度であれば十分である。
【００４９】
以上の本発明の製造方法によるポケットティシュー包装体Ｘ１は、図１に示すように、ポケットティシューＰ，Ｐが内包された収納部５０と、この収納部５０の上縁から延出する取手部２を有するものとなる。そして、その取手部２には、上記溶着ヘッド３の溶着パターンに対応したパターンの溶着部分が形成され、幅方向に１ｍｍ以下の間隔で並ぶ単位溶着部分３０Ａで構成される溶着部群３１Ａが２０〜５０ｍｍの間隔を開けて前記幅方向に沿って直線状に配され、かつ、その溶着部群３１Ａの一つが前記幅方向の中央Ｘｃを跨ぐ位置にある溶着部列３２Ａ，３２Ａが間隔を開けて並列され、かつ、それら溶着部列間であって連続筒状包装フィルム１の幅方向中央部に、周縁が溶着されている陳列用穴４が形成されているものとなる。もちろん、周縁の一部を完全に切断しない製造態様では、前記陳列用穴４は、取手部２の他の部分との連結箇所が残されたものとなる。
【００５０】
なお、本発明では内包されるポケットティシューＰは既知のものであり、特に限定されないが、例示すれば、図４に示すように、略長方形状の上下面６１，６２及びこれら繋ぐ長側縁Ｐ１及び短側縁Ｐ２とからなる座布団様の偏平状の立体形状をなすものであり、大きさは、概ね短側縁Ｐ２の長さＬ４×長側縁Ｐ１の長さＬ５×厚さが、７５±１０ｍｍ×１２５±１０ｍｍ×１５±５ｍｍである。
【００５１】
また、本発明におけるポケットティシュー包装体Ｘ１においては、ポケットティシューＰの配列態様も特に限定されないが、図１に示すような、長側縁突き合わせ方向に２個×上下面突き合わせ方向に２個が本発明の効果が十分に発揮され望ましい。
【符号の説明】
【００５２】
Ｘ１，Ｘ２…ポケットティシュー包装体、Ｐ…ポケットティシュー、Ｐ１…ポケットティシューの長側縁、Ｐ２…ポケットティシューの短側縁、Ｌ４…短側縁の長さ、Ｌ５…長側縁の長さ、Ｆ…包装袋、１…連続筒状包装フィルム、１Ａ…切断部、１Ｂ…開口部、１Ｃ…封止部、１Ｅ…連続筒状包装フィルムの側縁、２，１０２…取手部、３…溶着ヘッド、
３Ａ…受け部、４，１０４…陳列用穴、３０…単位溶着部、３１…溶着部群、３２…溶着部列、Ｌ１…単位溶着部間の間隔、Ｌ２…溶着部群間の間隔、Ｌ３…溶着部列間の間隔、Ｌ４…短側縁Ｐ２の長さ、Ｌ５…長側縁Ｐ１の長さ、５０，１５０…収納部、３０Ａ…単位用着部、３１Ａ…溶着部群、３２Ａ…溶着部列、６１…ポケットティシューの上面、６２…ポケットティシューの下面、Ｅ…陳列用フック、１０１Ｚ…包装袋前駆体、１３０…溶着部。
【図１】
0005956128.tif 000002
【図２】
0005956128.tif 000003
【図３】
0005956128.tif 000004
【図４】
0005956128.tif 000005
【図５】
0005956128.tif 000006
【図６】
0005956128.tif 000007
【図７】
0005956128.tif 000008